(57)【特許請求の範囲】
【請求項１】
プレート部（plate portion）及び中央壁（central wall）を有するプラスチックフレーム部材（plastic frame member）であって、前記プレート部は、第１面（side）及び第２面、及びプレート部を通して延びている（extend）第１延長開口（elongated aperture）及び第２延長開口を含んでおり、前記中央壁は、プレート部の第１面に連結されてそれから外側に延びており、第１延長開口と第２延長開口との間に位置して内部領域（interior region）を設定するように構成されている、プラスチックフレーム部材と、
プレート部の第１面に連結されている第１相互接続部材（interconnect member）であって、前記第１相互接続部材は、第１延長開口を通して延びた第１電池セルの第１電極端子に電気的及び機械的に接続されており、前記第１相互接続部材はスペードラグ（spade lug）を含んでおり、前記第１相互接続部材のスペードラグは前記内部領域内に位置するように構成されている、第１相互接続部材と、
プレート部の第１面に連結されている第２相互接続部材（second interconnect member）であって、前記第２相互接続部材は、第２延長開口を通して延びた第２電池セルの第１電極端子に電気的及び機械的に接続されており、前記第２相互接続部材はスペードラグを含んでおり、前記第２相互接続部材のスペードラグは前記内部領域内に位置するように構成されている、第２相互接続部材と、
アダプタ部材（adaptor member）、第１スペードクリップ（spade clip）及び第２スペードクリップ、及び第１電気ケーブル及び第２電気ケーブルを含む除去可能なワイヤーハーネスアセンブリ（removable wire harness assembly）であって、前記アダプタ部材は、第１面及び第２面、及びアダプタ本体を通して延びた第１開口及び第２開口を含み、前記第１スペードクリップはアダプタ部材の第１開口内に位置しており、第２スペードクリップは前記アダプタ部材の第２開口内に位置するように構成された、除去可能なワイヤーハーネスアセンブリと、
を含んでおり、
前記第１スペードクリップは、アダプタ部材が内部領域内に少なくとも部分的に位置するとき、第１相互接続部材のスペードラグに電気的及び機械的に接続されており、第１電気ケーブルに電気的及び機械的に接続されており、
前記第２スペードクリップは、アダプタ部材が内部領域内に少なくとも部分的に位置するとき、第２相互接続部材のスペードラグに電気的及び機械的に接続されており、第２電気ケーブルに電気的及び機械的に接続されており、
前記アダプタ部材は、中央ケーブル開口及び前記中央ケーブル開口に連結されている少なくとも第１及び第２ケーブル開口を含み、前記第１ケーブル開口は、前記第１スペードクリップから前記中央ケーブル開口に第１電気ケーブルを連通し、前記第２ケーブル開口は、前記第２スペードクリップから前記中央ケーブル開口に第２電気ケーブルを連通することを特徴とする、電池セル相互接続及び電圧センシングアセンブリ（battery cell interconnect and voltage sensing assembly）。
【請求項２】
前記アダプタ部材は、中央壁によって設定された内部領域内に収容される大きさ及び形状を有することを特徴とする、請求項１に記載の電池セル相互接続及び電圧センシングアセンブリ。
【請求項３】
前記中央壁は、それを通して延びる第１グルーブ（groove）及び第２グルーブを含んでおり、前記第１相互接続部材のスペードラグが内部領域内に位置するように、第１相互接続部材の一部が前記第１グルーブを通して延びており、前記第２相互接続部材のスペードラグが内部領域内に位置するように、第２相互接続部材の一部が前記第２グルーブを通して延びていることを特徴とする、請求項１に記載の電池セル相互接続及び電圧センシングアセンブリ。
【請求項４】
前記アダプタ部材は、第１電気ケーブル及び第２電気ケーブルの一部を収容するために、アダプタ部材内に延びている第１ケーブル開口（cable aperture）及び第２ケーブル開口をそれぞれ含むことを特徴とする、請求項１に記載の電池セル相互接続及び電圧センシングアセンブリ。
【請求項５】
前記アダプタ部材の第１面がプラスチックフレーム部材のプレート部の第１面に対向して位置するとき、アダプタ部材の第２面をカバーするように構成されているプラスチックカバープレート（plastic cover plate）をさらに含むことを特徴とする、請求項１に記載の電池セル相互接続及び電圧センシングアセンブリ。
【請求項６】
第１ハウジング、及び前記第１ハウジングの第１端部及び第２端部からそれぞれ外側に延びている第１電極端子及び第２電極端子を含む、第１電池セルと、
第２ハウジング、及び前記第２ハウジングの第１端部及び第２端部からそれぞれ外側に延びている第１電極端子及び第２電極端子を含む、第２電池セルと、
前記第１電池セル及び第２電池セルを内部に固定させるように構成されている第１フレーム部材及び第２フレーム部材と、
第１フレーム部材及び第２フレーム部材に連結されており、プラスチックフレーム部材、第１相互接続部材及び第２相互接続部材、及び除去可能なワイヤーハーネスアセンブリを有している、電池セル相互接続及び電圧センシングアセンブリと、
を含んでおり、
前記プラスチックフレーム部材はプレート部及び中央壁を有しており、前記プレート部は、第１面及び第２面、及びプレート部を通して延びている第１延長開口及び第２延長開口を含んでおり、前記中央壁は、プレート部の第１面に連結されてそれから外側に延びており、第１延長開口と第２延長開口との間に位置して内部領域を設定し、
前記第１相互接続部材は、プレート部の第１面に連結されており、第１延長開口を通して延びた第１電池セルの第１電極端子に電気的及び機械的に接続されており、スペードラグを含んでおり、第１相互接続部材のスペードラグは前記内部領域内に位置し、
前記第２相互接続部材は、プレート部の第１面に連結されており、第２延長開口を通して延びた第２電池セルの第１電極端子に電気的及び機械的に接続されており、スペードラグを含んでおり、第２相互接続部材のスペードラグは前記内部領域内に位置し、
前記除去可能なワイヤーハーネスアセンブリは、アダプタ部材、第１スペードクリップ及び第２スペードクリップ、及び第１電気ケーブル及び第２電気ケーブルを含んでおり、前記アダプタ部材は、第１面及び第２面、及びアダプタ本体を通して延びた第１開口及び第２開口を含み、前記第１スペードクリップはアダプタ部材の第１開口内に位置し、前記第２スペードクリップはアダプタ部材の第２開口内に位置し、
前記第１スペードクリップは、アダプタ部材が内部領域内に少なくとも部分的に位置するとき、第１相互接続部材のスペードラグに電気的及び機械的に接続されており、第１電気ケーブルに電気的及び機械的に接続されており、
前記第２スペードクリップは、アダプタ部材が内部領域内に少なくとも部分的に位置するとき、第２相互接続部材のスペードラグに電気的及び機械的に接続されており、第２電気ケーブルに電気的及び機械的に接続されており、
前記アダプタ部材は、中央ケーブル開口及び前記中央ケーブル開口に連結されている少なくとも第１及び第２ケーブル開口を含み、前記第１ケーブル開口は、前記第１スペードクリップから前記中央ケーブル開口に第１電気ケーブルを連通し、前記第２ケーブル開口は、前記第２スペードクリップから前記中央ケーブル開口に第２電気ケーブルを連通することを特徴とする、電池モジュール。
【請求項７】
前記アダプタ部材は、中央壁によって設定された内部領域内に収容される大きさ及び形状を有することを特徴とする、請求項６に記載の電池モジュール。
【請求項８】
前記中央壁は、それを通して延びる第１グルーブ及び第２グルーブを含んでおり、前記第１相互接続部材のスペードラグが内部領域内に位置するように、第１相互接続部材の一部が前記第１グルーブを通して延びており、前記第２相互接続部材のスペードラグが内部領域内に位置するように、第２相互接続部材の一部が前記第２グルーブを通して延びていることを特徴とする、請求項６に記載の電池モジュール。
【請求項９】
前記アダプタ部材は、第１電気ケーブル及び第２電気ケーブルの一部を収容するために、アダプタ部材内に延びている第１ケーブル開口及び第２ケーブル開口をそれぞれ含むことを特徴とする、請求項６に記載の電池モジュール。
【請求項１０】
前記アダプタ部材の第１面がプラスチックフレーム部材のプレート部の第１面に対向して位置するとき、アダプタ部材の第２面をカバーするように構成されているプラスチックカバープレートをさらに含むことを特徴とする、請求項６に記載の電池モジュール。
【発明の詳細な説明】
【技術分野】
【０００１】
本発明は、電池セル相互接続及び電圧センシングアセンブリ、並びに電池モジュールに関する。
【背景技術】
【０００２】
電池モジュールは、積層された多数の電池セルで構成される。
【０００３】
このような電池モジュールは、多数の電池セルを電気的に接続しなければならず、電池セルの電圧を検出して電池セルを効果的に管理するための部材が必要である。
【０００４】
しかし、従来は、電池セルを電気的に接続し、これらの電圧をセンシングするために、多数の接続部材又は配線が必要であるため、電池モジュールの全体の大きさが増加するだけでなく、製造工程が複雑であり、接続部材及び配線が複雑に絡み合っているため、組立の際に困難があった。
【０００５】
したがって、本出願の発明者らは、構造が簡便であると共に、前記部材を電池モジュールにさらに容易に結合させることができる、向上した電池セル相互接続及び電圧センシングアセンブリ、及び前記アセンブリを用いる電池モジュールの必要性を認識した。
【発明の概要】
【発明が解決しようとする課題】
【０００６】
したがって、本出願の発明者らは、鋭意研究と様々な実験を重ねた結果、後述するような特定の構造の電池セル相互接続及び電圧センシングアセンブリと電池モジュールを開発するに至った。このような電池セル相互接続及び電圧センシングアセンブリと電池モジュールは、より構造が簡便であり、各部材を効率的に管理できるだけでなく、電池モジュールに容易に結合させることができることを確認し、本発明を完成するに至った。
【課題を解決するための手段】
【０００７】
本発明の一実施例に係る電池セル相互接続及び電圧センシングアセンブリ（a battery cell interconnect and voltage sensing assembly）が提供される。前記電池セル相互接続及び電圧センシングアセンブリは、プレート部（plate portion）及び中央壁（central wall）を有するプラスチックフレームを含んでいる。前記プレート部は、第１面（side）及び第２面、及びプレート部を通して延びている（extend）第１延長開口（elongated aperture）及び第２延長開口を含んでいる。前記中央壁は、前記プレート部の第１面に連結されてそれから外側に延びており、第１延長開口と第２延長開口との間に位置して内部領域（interior region）を設定している。前記電池セル相互接続及び電圧センシングアセンブリはまた、前記プレート部の第１面に連結されている第１相互接続部材（interconnect member）を含んでいる。前記第１相互接続部材は、第１延長開口を通して延びた第１電池セルの第１電極端子に電気的及び機械的に接続されており、前記第１相互接続部材はスペードラグ（spade lug）を含んでいる。前記第１相互接続部材のスペードラグは前記内部領域内に位置している。前記電池セル相互接続及び電圧センシングアセンブリはまた、前記プレート部の第１面に連結されている第２相互接続部材（second interconnect member）を含んでいる。前記第２相互接続部材は、第２延長開口を通して延びた第２電池セルの第１電極端子に電気的及び機械的に接続されており、前記第２相互接続部材はスペードラグを含んでいる。前記第２相互接続部材のスペードラグは前記内部領域内に位置している。前記電池セル相互接続及び電圧センシングアセンブリはまた、アダプタ部材（adaptor member）、第１スペードクリップ（spade clip）及び第２スペードクリップ、及び第１電気ケーブル及び第２電気ケーブルを含む除去可能なワイヤーハーネスアセンブリ（removable wire harness assembly）を含んでいる。前記アダプタ部材は、第１面及び第２面、及びアダプタ本体を通して延びた第１開口及び第２開口を含んでいる。前記第１スペードクリップは前記アダプタ部材の第１開口内に位置しており、前記第２スペードクリップは前記アダプタ部材の第２開口内に位置している。前記第１スペードクリップは、アダプタ部材が前記内部領域内に少なくとも部分的に位置するとき、第１相互接続部材のスペードラグに電気的及び機械的に接続されており、さらに、第１電気ケーブルに電気的及び機械的に接続されている。前記第２スペードクリップは、アダプタ部材が前記内部領域内に少なくとも部分的に位置するとき、第２相互接続部材のスペードラグに電気的及び機械的に接続されており、さらに、第２電気ケーブルに電気的及び機械的に接続されている。
【０００８】
本発明の他の実施例に係る電池モジュールが提供される。電池モジュールは、第１ハウジング、及び第１ハウジングの第１端部及び第２端部からそれぞれ外側に延びる第１電極端子及び第２電極端子を含む、第１電池セルを含んでいる。前記電池モジュールはまた、第２ハウジング、及び前記第２ハウジングの第１端部及び第２端部からそれぞれ外側に延びている第１電極端子及び第２電極端子を含む、第２電池セルを含んでいる。前記電池モジュールはまた、前記第１電池セル及び第２電池セルを内部に固定させるように構成されている第１フレーム部材及び第２フレーム部材を含んでいる。前記電池モジュールはまた、前記第１フレーム部材及び第２フレーム部材に連結されている電池セル相互接続及び電圧センシングアセンブリを含んでいる。前記電池セル相互接続及び電圧センシングアセンブリは、プラスチックフレーム部材、第１相互接続部材及び第２相互接続部材、及び除去可能なワイヤーハーネスアセンブリを有している。前記プラスチックフレーム部材はプレート部及び中央壁を有している。前記プレート部は、第１面及び第２面、及びプレート部を通して延びている第１延長開口及び第２延長開口を含んでいる。前記中央壁は、プレート部の第１面に連結されてそれから外側に延びており、第１延長開口と第２延長開口との間に位置して内部領域を設定している。前記第１相互接続部材は、前記プレート部の第１面に連結されている。前記第１相互接続部材は、第１延長開口を通して延びた第１電池セルの第１電極端子に電気的及び機械的に接続されており、前記第１相互接続部材はスペードラグ（spade lug）を含んでいる。前記第１相互接続部材のスペードラグは前記内部領域内に位置している。前記第２相互接続部材は、前記プレート部の第１面に連結されている。前記第２相互接続部材は、第２延長開口を通して延びた第２電池セルの第１電極端子に電気的及び機械的に接続されており、前記第２相互接続部材はスペードラグを含んでいる。前記第２相互接続部材のスペードラグは前記内部領域内に位置している。前記除去可能なワイヤーハーネスアセンブリは、アダプタ部材（adaptor member）、第１スペードクリップ（spade clip）及び第２スペードクリップ、及び第１電気ケーブル及び第２電気ケーブルを含んでいる。前記アダプタ部材は、第１面及び第２面、及びアダプタ本体を通して延びた第１開口及び第２開口を含んでいる。前記第１スペードクリップは前記アダプタ部材の第１開口内に位置しており、前記第２スペードクリップは前記アダプタ部材の第２開口内に位置している。前記第１スペードクリップは、アダプタ部材が前記内部領域内に少なくとも部分的に位置するとき、第１相互接続部材のスペードラグに電気的及び機械的に接続されており、さらに、第１電気ケーブルに電気的及び機械的に接続されている。前記第２スペードクリップは、アダプタ部材が前記内部領域内に少なくとも部分的に位置するとき、第２相互接続部材のスペードラグに電気的及び機械的に接続されており、さらに、第２電気ケーブルに電気的及び機械的に接続されている。
【図面の簡単な説明】
【０００９】
【図１】一実施例に係る第１電池セル及び第２電池セル、及び電池セル相互接続及び電圧センシングアセンブリを含む電池モジュールの模式図である。
【図２】図１の線２−２を基準とした図１の電池モジュールの部分断面図である。
【図３】図１の線３−３を基準とした図１の電池モジュールの他の部分断面図である。
【図４】図１の電池モジュール内で用いられる第１電池セル相互接続及び電圧センシングアセンブリの部分模式図である。
【図５】図４の第１電池セル相互接続及び電圧センシングアセンブリの他の部分模式図である。
【図６】図４の第１電池セル相互接続及び電圧センシングアセンブリの部分拡大図である。
【図７】図４の第１電池セル相互接続及び電圧センシングアセンブリ内の電気コネクタ（connector）に接続されているスペードクリップの部分拡大図である。
【図８】図４の第１電池セル相互接続及び電圧センシングアセンブリ内で用いられる電気コネクタの模式図である。
【図９】電池モジュール内で用いられる第２電池セル相互接続及び電圧センシングアセンブリを示した図１の電池モジュールの部分拡大図である。
【図１０】図９の第２電池セル相互接続及び電圧センシングアセンブリの部分模式図である。
【図１１】図９の第２電池セル相互接続及び電圧センシングアセンブリの他の部分模式図である。
【図１２】図９の第２電池セル相互接続及び電圧センシングアセンブリ内で用いられる電気コネクタの模式図である。
【図１３】図１２の電気コネクタの他の模式図である。
【図１４】図１の線１４−１４を基準とした図１の電池モジュールの部分断面図である。
【図１５】図１の電池モジュールにおいてプラスチックカバープレートを除去した電池モジュールの部分模式図である。
【図１６】除去可能なワイヤーハーネスアセンブリを有する第１電池セル相互接続及び電圧センシングアセンブリの分解図である。
【図１７】図１６の除去可能なワイヤーハーネスアセンブリの模式図である。
【図１８】図１６の除去可能なワイヤーハーネスアセンブリの他の模式図である。
【図１９】図１６の第１電池セル相互接続及び電圧センシングアセンブリ内で用いられるプラスチックカバープレートの模式図である。
【図２０】図１９のプラスチックカバープレートの他の模式図である
【発明を実施するための形態】
【００１０】
図１乃至図９、及び図１４を参照すると、一実施例に係る電池モジュール１０が提供される。電池モジュール１０は電池管理システム（a battery management system）１２に電気的に接続されている。電池モジュール１０は、フレーム部材２０，２４，２８、絶縁体４０，４４、電池セル５０，５４，５８，６２，６６，７０，８０，８４，８８，９２，９６，１００、熱交換器１１０，１１２，１１４、電池セル相互接続及び電圧センシングアセンブリ１２０，１２２、及び端部プレート（end plate）１３０を含んでいる。電池モジュール１０の利点は、ワイヤーハーネスアセンブリを電池モジュール１０に容易に結合させるために、前記電池モジュール１０が、その中にスペードクリップを固定するアダプタ部材を含む除去可能なワイヤーハーネスアセンブリ３４０を使用するということである。
【００１１】
図１乃至図３を参照すると、フレーム部材２０と絶縁体４０は、これらの間に電池セル５０、熱交換器１１０、及び電池セル５４を固定させるように構成されており、熱交換器１１０は電池セル５０，５４の間に位置している。フレーム部材２０と絶縁体４０（図３に図示）はまた、これらの間に電池セル８０、熱交換器１１０、及び電池セル８４を固定させるように構成されており、熱交換器１１０は電池セル８０，８４の間に位置している。図１５、図１９及び図２０を参照すると、フレーム部材２０は、フレーム部材２０上に除去可能に固定されているプラスチックカバープレート７７２のために、フレーム部材２０上のプラスチックカバープレート７７２から対応する連結タブを収容するように構成されている連結タブ（coupling tabs）１３１，１３２を含んでいる。フレーム部材２０はまた、フレーム部材２０上に除去可能に固定されている他のプラスチックカバープレートのために、電池セル相互接続及び電圧センシングアセンブリ１２２のプラスチックカバープレートから対応する連結タブを収容するように構成されている２つの追加的な連結タブ（図示せず）を含んでいる。
【００１２】
図１乃至図３を参照すると、フレーム部材２０とフレーム部材２４は、これらの間に電池セル５８、熱交換器１１２、及び電池セル６２を固定させるように構成されており、熱交換器１１２は電池セル５８，６２の間に位置している。フレーム部材２０とフレーム部材２４はまた、これらの間に電池セル８８、熱交換器１１２、及び電池セル９２を固定させるように構成されており、熱交換器１１２は電池セル８８，９２の間に位置している。図１５、図１９及び図２０を参照すると、フレーム部材２４は、フレーム部材２４上に除去可能に固定されているプラスチックカバープレート７７２のために、フレーム部材２４上のプラスチックカバープレート７７２から対応する連結タブを収容するように構成されている連結タブ１３３，１３４を含んでいる。フレーム部材２４はまた、フレーム部材２４上に除去可能に固定されている他のプラスチックカバープレートのために、電池セル相互接続及び電圧センシングアセンブリ１２２のプラスチックカバープレートから対応する連結タブを収容するように構成されている２つの追加的な連結タブ（図示せず）を含んでいる。
【００１３】
図１乃至図３を参照すると、フレーム部材２４とフレーム部材２８は、これらの間に電池セル６６、熱交換器１１４、及び電池セル７０を固定させるように構成されており、熱交換器１１４は電池セル６６，７０の間に位置している。フレーム部材２４とフレーム部材２８はまた、これらの間に電池セル９６、熱交換器１１４、及び電池セル１００を固定させるように構成されており、熱交換器１１４は電池セル９６，１００の間に位置している。図１５、図１９及び図２０を参照すると、フレーム部材２８は、フレーム部材２８上に除去可能に固定されているプラスチックカバープレート７７２のために、フレーム部材２８上のプラスチックカバープレート７７２から対応する連結タブを収容するように構成されている連結タブ１３５，１３６を含んでいる。フレーム部材２８はまた、フレーム部材２８上に除去可能に固定されている他のプラスチックカバープレートのために、電池セル相互接続及び電圧センシングアセンブリ１２２のプラスチックカバープレートから対応する連結タブを収容するように構成されている２つの追加的な連結タブ（図示せず）を含んでいる。
【００１４】
図２及び図３を参照すると、電池セル５０，５４，５８，６２，６６，７０，８０，８４，８８，９２，９６，１００は、それぞれ作動電圧を発生させるように構成されている。一具体例において、電池セル５０〜１００は、一般的に長方形の本体部及び一対の電極端子を有するパウチ型リチウムイオン電池セルである。一具体例において、電池セル５０〜１００は互いに、電池セル相互接続及び電圧センシングアセンブリ１２０，１２２上で相互接続部材を用いて電気的に直列接続されている。また、一具体例において、電池セル５０〜１００の電極端子は、超音波溶接装置を用いて対応する相互接続部材に電池セル５０〜１００の電極端子を超音波溶接することによって、対応する相互接続部材に接続されている。
【００１５】
前記電池セル５０は、ハウジング１４０の第１端部及び第２端部からそれぞれ外側に延びている電極端子１４２，１４４と長方形のハウジング１４０を含んでいる。電極端子１４２は、延長開口４１０を通して延びており、電池セル相互接続及び電圧センシングアセンブリ１２０の相互接続部材３１０に電気的及び機械的に接続されている。電極端子１４４は、延長開口１０１０を通して延びており、電池セル相互接続及び電圧センシングアセンブリ１２２の相互接続部材９１０に電気的及び機械的に接続されている。電池セル５０は、絶縁体４０と熱交換器１１０との間に位置している。
【００１６】
前記電池セル５４は、ハウジング１５０の第１端部及び第２端部からそれぞれ外側に延びている電極端子１５２，１５４と長方形のハウジング１５０を含んでいる。電極端子１５２は、延長開口４１０を通して延びており、電池セル相互接続及び電圧センシングアセンブリ１２０の相互接続部材３１０に電気的及び機械的に接続されている。電極端子１５４は、延長開口１０１４を通して延びており、電池セル相互接続及び電圧センシングアセンブリ１２２の相互接続部材９１４に電気的及び機械的に接続されている。電池セル５４は、熱交換器１１０と電池セル５８との間に位置している。
【００１７】
前記電池セル５８は、ハウジング１６０の第１端部及び第２端部からそれぞれ外側に延びている電極端子１６２，１６４と長方形のハウジング１６０を含んでいる。電極端子１６２は、延長開口４１４を通して延びており、電池セル相互接続及び電圧センシングアセンブリ１２０の相互接続部材３１４に電気的及び機械的に接続されている。電極端子１６４は、延長開口１０１４を通して延びており、電池セル相互接続及び電圧センシングアセンブリ１２２の相互接続部材９１４に電気的及び機械的に接続されている。電池セル５８は、電池セル５４と熱交換器１１２との間に位置している。
【００１８】
前記電池セル６２は、ハウジング１７０の第１端部及び第２端部からそれぞれ外側に延びている電極端子１７２，１７４と長方形のハウジング１７０を含んでいる。電極端子１７２は、延長開口４１４を通して延びており、電池セル相互接続及び電圧センシングアセンブリ１２０の相互接続部材３１４に電気的及び機械的に接続されている。電極端子１７４は、延長開口１０１８を通して延びており、電池セル相互接続及び電圧センシングアセンブリ１２２の相互接続部材９１８に電気的及び機械的に接続されている。電池セル６２は、熱交換器１１２と電池セル６６との間に位置している。
【００１９】
前記電池セル６６は、ハウジング１８０の第１端部及び第２端部からそれぞれ外側に延びている電極端子１８２，１８４と長方形のハウジング１８０を含んでいる。電極端子１８２は、延長開口４１８を通して延びており、電池セル相互接続及び電圧センシングアセンブリ１２０の相互接続部材３１８に電気的及び機械的に接続されている。電極端子１８４は、延長開口１０１８を通して延びており、電池セル相互接続及び電圧センシングアセンブリ１２２の相互接続部材９１８に電気的及び機械的に接続されている。電池セル６６は、電池セル６２と熱交換器１１４との間に位置している。
【００２０】
前記電池セル７０は、ハウジング１９０の第１端部及び第２端部からそれぞれ外側に延びている電極端子１９２，１９４と長方形のハウジング１９０を含んでいる。電極端子１９２は、延長開口４１８を通して延びており、電池セル相互接続及び電圧センシングアセンブリ１２０の相互接続部材３１８に電気的及び機械的に接続されている。電極端子１９４は、延長開口１０２０を通して延びており、電池セル相互接続及び電圧センシングアセンブリ１２２の相互接続部材９２０に電気的及び機械的に接続されている。相互接続部材９２０はまた、ポスト（post）９３２（図１０に図示）に電気的及び機械的に接続されている。電池セル７０は、熱交換器１１４と絶縁体４４との間に位置している。
【００２１】
図１乃至図３を参照すると、電池セル５０〜７０の直列組み合わせは、延長相互接続部材９１０を用いて電池セル８０〜１００の直列組み合わせに電気的に直列接続されている。
【００２２】
図３を参照すると、電池セル８０は、ハウジング２００の第１端部及び第２端部からそれぞれ外側に延びている電極端子２０２，２０４と長方形のハウジング２００を含んでいる。電極端子２０２は、延長開口４２２を通して延びており、電池セル相互接続及び電圧センシングアセンブリ１２０の相互接続部材３２２に電気的及び機械的に接続されている。電極端子２０４は、延長開口１０２１を通して延びており、電池セル相互接続及び電圧センシングアセンブリ１２２の相互接続部材９１０に電気的及び機械的に接続されている。電池セル８０は、絶縁体４０と熱交換器１１０との間に位置している。
【００２３】
前記電池セル８４は、ハウジング２１０の第１端部及び第２端部からそれぞれ外側に延びている電極端子２１２，２１４と長方形のハウジング２１０を含んでいる。電極端子２１２は、延長開口４２２を通して延びており、電池セル相互接続及び電圧センシングアセンブリ１２０の相互接続部材３２２に電気的及び機械的に接続されている。電極端子２１４は、延長開口１０２２を通して延びており、電池セル相互接続及び電圧センシングアセンブリ１２２の相互接続部材９２２に電気的及び機械的に接続されている。電池セル８４は、熱交換器１１０と電池セル８８との間に位置している。
【００２４】
前記電池セル８８は、ハウジング２２０の第１端部及び第２端部からそれぞれ外側に延びている電極端子２２２，２２４と長方形のハウジング２２０を含んでいる。電極端子２２２は、延長開口４２６を通して延びており、電池セル相互接続及び電圧センシングアセンブリ１２０の相互接続部材３２６に電気的及び機械的に接続されている。電極端子２２４は、延長開口１０２２を通して延びており、電池セル相互接続及び電圧センシングアセンブリ１２２の相互接続部材９２２に電気的及び機械的に接続されている。電池セル８８は、電池セル８４と熱交換器１１２との間に位置している。
【００２５】
前記電池セル９２は、ハウジング２３０の第１端部及び第２端部からそれぞれ外側に延びている電極端子２３２，２３４と長方形のハウジング２３０を含んでいる。電極端子２３２は、延長開口４２６を通して延びており、電池セル相互接続及び電圧センシングアセンブリ１２０の相互接続部材３２６に電気的及び機械的に接続されている。電極端子２３４は、延長開口１０２６を通して延びており、電池セル相互接続及び電圧センシングアセンブリ１２２の相互接続部材９２６に電気的及び機械的に接続されている。電池セル９２は、熱交換器１１２と電池セル９６との間に位置している。
【００２６】
前記電池セル９６は、ハウジング２４０の第１端部及び第２端部からそれぞれ外側に延びている電極端子２４２，２４４と長方形のハウジング２４０を含んでいる。電極端子２４２は、延長開口４３０を通して延びており、電池セル相互接続及び電圧センシングアセンブリ１２０の相互接続部材３３０に電気的及び機械的に接続されている。電極端子２４４は、延長開口１０２６を通して延びており、電池セル相互接続及び電圧センシングアセンブリ１２２の相互接続部材９２６に電気的及び機械的に接続されている。電池セル９６は、電池セル９２と熱交換器１１４との間に位置している。
【００２７】
前記電池セル１００は、ハウジング２５０の第１端部及び第２端部からそれぞれ外側に延びている電極端子２５２，２５４と長方形のハウジング２５０を含んでいる。電極端子２５２は、延長開口４３０を通して延びており、電池セル相互接続及び電圧センシングアセンブリ１２０の相互接続部材３３０に電気的及び機械的に接続されている。電極端子２５４は、延長開口１０３０を通して延びており、電池セル相互接続及び電圧センシングアセンブリ１２２の相互接続部材９３０に電気的及び機械的に接続されている。相互接続部材９３０はまた、ポスト９３４（図１０に図示）に電気的及び機械的に接続されている。電池セル１００は、熱交換器１１４と絶縁体４４との間に位置している。端部プレート１３０は絶縁体４４上に位置している。
【００２８】
図２及び図３を参照すると、熱交換器１１０は、電池セル５０，５４と接触した状態で電池セル５０，５４の間に位置している。また、熱交換器１１０は、電池セル８０，８４と接触した状態で電池セル８０，８４の間に位置している。一具体例において、熱交換器１１０は、アルミニウムからなっており、それを通して延びる複数の通路を設定している。冷却システム（cooling system）は、電池セル５０，５４，８０，８４を冷却させるために、電池セル５０，５４，８０，８４から熱エネルギーを抽出する熱交換器１１０内の複数の通路を介して空気を供給する。
【００２９】
前記熱交換器１１２は、電池セル５８，６２と接触した状態で電池セル５８，６２の間に位置している。また、熱交換器１１２は、電池セル８８，９２と接触した状態で電池セル８８，９２の間に位置している。一具体例において、熱交換器１１２は、アルミニウムからなっており、それを通して延びる複数の通路を設定している。冷却システム（cooling system）は、電池セル５８，６２，８８，９２を冷却させるために、電池セル５８，６２，８８，９２から熱エネルギーを抽出する熱交換器１１２内の複数の通路を介して空気を供給する。
【００３０】
前記熱交換器１１４は、電池セル６６，７０と接触した状態で電池セル６６，７０の間に位置している。また、熱交換器１１４は、電池セル９６，１００と接触した状態で電池セル９６，１００の間に位置している。一具体例において、熱交換器１１４は、アルミニウムからなっており、それを通して延びる複数の通路を設定している。冷却システム（cooling system）は、電池セル６６，７０，９６，１００を冷却させるために、電池セル６６，７０，９６，１００から熱エネルギーを抽出する熱交換器１１４内の複数の通路を介して空気を供給する。
【００３１】
図１及び図９を参照すると、電池セル相互接続及び電圧センシングアセンブリ１２０，１２２は、電池セル５０〜１００を互いに電気的に直列接続させるように構成されている。
【００３２】
図２乃至図５、図１５及び図１６を参照して、以下では、電池セル相互接続及び電圧センシングアセンブリ１２０について説明する。アセンブリ１２０は、プラスチックフレーム部材３００、相互接続部材３１０，３１４，３１８，３２２，３２６，３３０、及び除去可能なワイヤーハーネスアセンブリ３４０を含んでいる。
【００３３】
前記プラスチックフレーム部材３００は、電池セル相互接続及び電圧センシングアセンブリ１２０の残りの構成要素をその上に固定させるために提供される。プラスチックフレーム部材３００は、プレート部３７０、中央壁３７４、隔壁３７８，３８２，３８６及び付着タブ３９０，３９２を含む。
【００３４】
前記プレート部３７０は、第１面４００、及び第１面４００に対向して位置する第２面４０２を含んでいる。プレート部３７０は、プレート部３７０を通して延びている延長開口４１０，４１４，４１８，４２２，４２６，４３０をさらに含んでいる。延長開口４１０，４１４，４１８，４２２，４２６，４３０は、プラスチックフレーム部材３００の長軸３５０に対して実質的に平行に延びている。さらに、延長開口４１０，４１４，４１８は軸３５２に集中しており、延長開口４２２，４２６，４３０は軸３５４に集中している。軸３５２，３５４は、長軸３５０に対して垂直であり、それぞれが長軸方向に互いに離隔して位置している。
【００３５】
図４及び図５を参照すると、中央壁３７４は内部領域３７５を設定している。一具体例において、中央壁３７４は、略四角リング状であるが、他の例において、中央壁３７４はアダプタ部材６５０（図１７に図示）を収容可能な構造であれば、他の形状を有してもよい。内部領域３７５は、それぞれその内部にスペードクリップ７１０，７１４，７１８，７２２，７２６，７３０を含んでいる。
【００３６】
前記中央壁３７４は、それぞれグルーブ５１０，５１４，５１８，５２２，５２６，５３０を通る相互接続部材３１０，３１４，３１８，３２２，３２６，３３０の一部を収容するために、中央壁３７４を通して延びるグルーブ５１０，５１４，５１８，５２２，５２６，５３０をさらに含んでいる。
【００３７】
図１及び図５を参照すると、付着タブ３９０，３９２は、電池セル相互接続及び電圧センシングアセンブリ１２０をフレーム部材２８に付着するために提供される。付着タブ３９０，３９２は、プレート部３７０に対して実質的に垂直にプレート部３７０の端部に結合されている。
【００３８】
図２、図３及び図５を参照すると、相互接続部材３１０，３１４，３１８，３２２，３２６，３３０はプレート部３７０の第１面４００に結合されている。また、相互接続部材３１０，３１４，３１８，３２２，３２６，３３０はそれぞれ、プレート部３７０の延長開口４１０，４１４，４１８，４２２，４２６，４３０に非常に近接して位置している。一具体例において、相互接続部材３１０〜３３０は、銅、またはニッケルがめっきされた銅からなっているが、他の例において、他の電気伝導性物質が相互接続部材３１０〜３３０を構成するために使用されてもよい。相互接続部材３１０〜３２６は、互いに同じ構造を有しているため、単純性の目的のために、ただ相互接続部材３１０の構造のみが、以下で詳細に議論される。
【００３９】
図５及び図８を参照すると、相互接続部材３１０は、第１プレート部６００、第２プレート部６０２、延長部６０４、及びスペードラグ６０６を含んでいる。スペードラグ６０６は、延長部６０４に連結されており、第１プレート部６００に実質的に垂直に延びている。スペードラグ６０６は、スペードクリップ７１０に除去可能に電気的及び機械的に接続されるように構成されている。スペードラグ６０６は、スペードラグを通して延びている実質的に長方形のスペードラグ開口６３０を有しており、これは、スペードクリップ７１０のラッチ部材（latching member）を収容できるように構成されている。
【００４０】
図２、図５及び図８を参照すると、第１プレート部６００は、プレート部３７０の第１面４００に第１プレート部６００を結合させるために、プレート部３７０の第１面４００から延びた第１装着タブ（mounting tab）及び第２装着タブを収容する開口６２０，６２２を含んでいる。第２プレート部６０２は、延長開口４１０に非常に近接して位置しており、電池セル５０，５４の電極端子１４２，１５２にそれぞれ電気的及び機械的に接続されている。さらに、スペードラグ６０６が内部領域３７５内に位置するように、延長部６０４はグルーブ５１０を通して延びている。スペードクリップ７１０は、内部領域３７５内でスペードラグ６０６に除去可能に付着している。
【００４１】
前記相互接続部材３１４は、延長開口４１４に非常に近接した、プレート部３７０の第１面４００に結合されている。相互接続部材３１４は、電池セル５８，６２の電極端子１６２，１７２にそれぞれ電気的及び機械的に接続されている。相互接続部材３１４はまた、スペードクリップ７１４に電気的及び機械的に接続されている。
【００４２】
前記相互接続部材３１８は、延長開口４１８に非常に近接した、プレート部３７０の第１面４００に結合されている。相互接続部材３１８は、電池セル６６，７０の電極端子１８２，１９２にそれぞれ電気的及び機械的に接続されている。相互接続部材３１８はまた、スペードクリップ７１８に電気的及び機械的に接続されている。
【００４３】
図３及び図５を参照すると、相互接続部材３２２は、延長開口４２２に非常に近接した、プレート部３７０の第１面４００に結合されている。相互接続部材３２２は、電池セル８０，８４の電極端子２０２，２１２にそれぞれ電気的及び機械的に接続されている。相互接続部材３２２はまた、スペードクリップ７２２に電気的及び機械的に接続されている。
【００４４】
前記相互接続部材３２６は、延長開口４２６に非常に近接した、プレート部３７０の第１面４００に結合されている。相互接続部材３２６は、電池セル８８，９２の電極端子２２２，２３２にそれぞれ電気的及び機械的に接続されている。相互接続部材３２６はまた、スペードクリップ７２６に電気的及び機械的に接続されている。
【００４５】
前記相互接続部材３３０は、延長開口４３０に非常に近接した、プレート部３７０の第１面４００に結合されている。相互接続部材３３０は、電池セル９６，１００の電極端子２４２，２５２にそれぞれ電気的及び機械的に接続されている。相互接続部材３３０はまた、スペードクリップ７３０に電気的及び機械的に接続されている。
【００４６】
図１、図４、図５、及び図１５乃至図２０を参照すると、除去可能なワイヤーハーネスアセンブリ３４０は、相互接続部材３１０，３１４，３１８，３２２，３２６，３３０から電池管理システム１２に電圧を伝送するために提供される。除去可能なワイヤーハーネスアセンブリ３４０は、スペードクリップ７１０，７１４，７１８，７２２，７２６，７３０、電気ケーブル７４０，７４４，７４８，７５２，７５６，７６０、電気コネクタ７７０、及びプラスチックカバープレート７７２を含んでいる。
【００４７】
図１７及び図１８を参照すると、アダプタ部材６５０は、その内部にスペードクリップ７１０〜７３０及び電気ケーブル７４０〜７６０の一部を固定するために提供される。アダプタ部材６５０は、実質的に長方形の断面形状を有している。アダプタ部材６５０は、第１面７７４、及び第１面７７４と実質的に平行に位置している第２面７７５を含んでいる。アダプタ部材６５０はまた、スペードクリップ７１０，７１４，７１８，７２２，７２６，７３０をそれぞれその内部に収容できるように構成されている、アダプタ部材６５０を通して延びる開口７７７，７７８，７７９，７８０，７８１，７８２をさらに含んでいる。スペードクリップ７１０，７１４，７１８，７２２，７２６，７３０は、相互接続部材の各スペードラグが除去可能に機械的及び電気的にそれぞれのスペードクリップ７１０〜７３０に接続されるように、アダプタ部材６５０の第１面７７４を通じて接近可能に構成されている。
【００４８】
前記アダプタ部材６５０は、その内部へ延びているケーブル開口７８４，７８５，７８６，７８７，７８８，７８９及び中央ケーブル開口７９０を含んでいる。中央ケーブル開口７９０はケーブル開口７８４〜７８９と連結されている。ケーブル開口７８４，７８５，７８６，７８７，７８８，７８９は、スペードクリップ７１０，７１４，７１８，７２２，７２６，７３０から中央ケーブル開口７９０に電気ケーブル７４０，７４４，７４８，７５２，７５６，７６０をそれぞれ連通させるために、電気ケーブル７４０，７４４，７４８，７５２，７５６，７６０の一部をそれぞれ収容するように構成されている。電気ケーブル７４０〜７６０は、中央ケーブル開口７９０を介してアダプタ部材６５０の外側領域に連通している。アダプタ部材６５０は、中央壁３７４によって設定された内部領域３７５（図４に図示）内に収容される大きさ及び形状を有している。一具体例において、アダプタ部材６５０はプラスチックからなっている。
【００４９】
図４、図５及び図７を参照すると、スペードクリップ７１０〜７３０の構造は互いに同一である。したがって、ただスペードクリップ７１０の構造のみが詳細に議論される。スペードクリップ７１０は、スペードラグ６０６に除去可能に結合されている構造となっている。スペードクリップ７１０は、ケーブル連結部８００、ラッチ部材８０４、及び結合部材８０８，８１２を含んでいる。ラッチ部材８０４は、ケーブル連結部８００に連結されて外側に延びている。また、結合部材８０８，８１２は、実質的にアーチ状であり、ラッチ部材８０４が結合部材８０８，８１２の間に位置するように、ケーブル連結部８００に連結されてケーブル連結部８００から延びている。ケーブル連結部８００は、電気ケーブル７４０に電気的及び機械的に接続されている。ラッチ部材８０４は、ラッチ部材８０４がスペードラグ６０６上にスペードクリップ７１０を固定するように、スペードラグ６０６の第１面から開口を介してスペードラグ６０６の第２面に延びており、第２面と噛み合っている。さらに、結合部材８０８，８１２は、スペードラグ６０６上にスペードクリップ７１０を固定するためにスペードラグ６０６の第２面に接触している。
【００５０】
図４、図５、図７及び図１５を参照すると、相互接続部材３１０のスペードラグ６０６はスペードクリップ７１０に電気的及び機械的に接続されており、スペードクリップ７１０は、アダプタ部材６５０がプラスチックフレーム部材３００の内部領域３７５（図４に図示）内に少なくとも部分的に位置するとき、電気ケーブル７４０に電気的及び機械的に接続されている。さらに、電気ケーブル７４０は電気コネクタ７７０に電気的及び機械的に接続されている。
【００５１】
前記相互接続部材３１４のスペードラグはスペードクリップ７１４に電気的及び機械的に接続されており、スペードクリップ７１４は、アダプタ部材６５０がプラスチックフレーム部材３００の内部領域３７５内に少なくとも部分的に位置するとき、電気ケーブル７４４に電気的及び機械的に接続されている。さらに、電気ケーブル７４４は電気コネクタ７７０に電気的及び機械的に接続されている。
【００５２】
前記相互接続部材３１８のスペードラグはスペードクリップ７１８に電気的及び機械的に接続されており、スペードクリップ７１８は、アダプタ部材６５０がプラスチックフレーム部材３００の内部領域３７５内に少なくとも部分的に位置するとき、電気ケーブル７４８に電気的及び機械的に接続されている。さらに、電気ケーブル７４８は電気コネクタ７７０に電気的及び機械的に接続されている。
【００５３】
前記相互接続部材３２２のスペードラグはスペードクリップ７２２に電気的及び機械的に接続されており、スペードクリップ７２２は、アダプタ部材６５０がプラスチックフレーム部材３００の内部領域３７５内に少なくとも部分的に位置するとき、電気ケーブル７５２に電気的及び機械的に接続されている。さらに、電気ケーブル７５２は電気コネクタ７７０に電気的及び機械的に接続されている。
【００５４】
前記相互接続部材３２６のスペードラグはスペードクリップ７２６に電気的及び機械的に接続されており、スペードクリップ７２６は、アダプタ部材６５０がプラスチックフレーム部材３００の内部領域３７５内に少なくとも部分的に位置するとき、電気ケーブル７５６に電気的及び機械的に接続されている。さらに、電気ケーブル７５６は電気コネクタ７７０に電気的及び機械的に接続されている。
【００５５】
前記相互接続部材３３０のスペードラグはスペードクリップ７３０に電気的及び機械的に接続されており、スペードクリップ７３０は、アダプタ部材６５０がプラスチックフレーム部材３００の内部領域３７５内に少なくとも部分的に位置するとき、電気ケーブル７６０に電気的及び機械的に接続されている。さらに、電気ケーブル７６０は電気コネクタ７７０に電気的及び機械的に接続されている。
【００５６】
図１、図４、図１６、図１９、及び図２０を参照すると、プラスチックカバープレート７７２は、アダプタ部材６５０の第１面７７４がプラスチックフレーム部材３００のプレート部３７０の第１面４００（図４に図示）に対向して位置するとき、アダプタ部材６５０の第２面をカバーするように構成されており、アダプタ部材６５０は内部領域３７５に位置している。プラスチックカバープレート７７２は、プレート部８００及び側壁８０２，８０４，８０６，８１０を含んでいる。一具体例において、プレート部８００は、実質的に長方形であり、それを通して延びる開口８２０を含んでいる。側壁８０２，８０４，８０６，８１０は、第１方向にプレート部８００に結合されてプレート部８００から外側に延びている。側壁８０２，８０４同士は、互いに実質的に平行に延びており、側壁８０６，８１０同士は、互いに実質的に平行に延びている。側壁８０２は、その上に位置しており、プラスチックカバープレート７７２をフレーム部材２０，２４，２８に除去可能に付着できるように連結タブ１３１，１３３，１３５（図１５に図示）の一部と除去可能に結合されるように構成されている、連結タブ８１２，８１４を有している。また、側壁８０４は、その上に位置しており、プラスチックカバープレート７７２をフレーム部材２０，２４，２８に除去可能に付着できるように連結タブ１３２，１３４，１３６（図１５に図示）の一部と除去可能に結合されるように構成されている、連結タブ８１６，８１８を有している。
【００５７】
図９乃至図１３を参照して、以下では、一実施例に係る電池セル相互接続及び電圧センシングアセンブリ１２２について説明する。アセンブリ１２２は、プラスチックフレーム部材９００、延長相互接続部材９１０、相互接続部材９１４，９１８，９２０，９２２，９２６，９３０、ポスト９３２，９３４、及び除去可能なワイヤーハーネスアセンブリ９４０を含んでいる。
【００５８】
前記プラスチックフレーム部材９００は、その上に電池セル相互接続及び電圧センシングアセンブリ１２２の残りの構成要素を固定するために提供される。プラスチックフレーム部材９００は、長方形のプレート９７０、隔壁９７４，９７６，９７８，９８０，９８２，９８４，９８６、及び付着タブ９９２，９９４を含んでいる。
【００５９】
前記長方形のプレート９７０は、第１面１０００、及び第１面１０００に対向して位置する第２面１００２を含んでいる。長方形のプレート９７０は、長方形のプレート９７０を通して延びている延長開口１０１０，１０１４，１０１８，１０２０，１０２１，１０２２，１０２６，１０３０をさらに含んでいる。延長開口１０１０，１０１４，１０１８，１０２０，１０２１，１０２２，１０２６，１０３０は、プラスチックフレーム部材９００の長軸９５０と実質的に平行に延びている。延長開口１０１０，１０１４，１０１８，１０２０は軸９５２に集中しており、延長開口１０２１，１０２２，１０２６，１０３０は軸９５４に集中している。軸９５２，９５４は、長軸９５０に対して垂直であり、それぞれが長軸方向に互いに離隔して位置している。
【００６０】
図９及び図１０を参照すると、隔壁９７４〜９８６は、長方形のプレート９７０の第１面１０００から外側に延びている。隔壁９７４〜９８６は内部領域１０４０，１０４２，１０４４，１０４６，１０４８，１０５０，１０５２を設定している。図示のように、隔壁９８４，９８６は互いに実質的に平行に延びており、隔壁９７４，９７６，９７８，９８０，９８２は、隔壁９８４，９８６に対して垂直に互いに実質的に平行に延びている。内部領域１０４０，１０４２，１０４４，１０４６，１０４８，１０５０，１０５２は、それぞれその内部に位置しているスペードクリップ１２１４，１２１８，１２２０，１２２２，１２３２，１２２６，１２３０を有している。
【００６１】
前記隔壁９７４は、グルーブ１０３２，１０３３を通る相互接続部材９１４，９１８の一部をそれぞれ収容するために、隔壁９７４を通して延びるグルーブ１０３２，１０３３を含んでいる。グルーブ１０３２は、内部領域１０４２に非常に近接した隔壁９７４を通して延びている。また、グルーブ１０３３は、内部領域１０４４に非常に近接した隔壁９７４を通して延びている。
【００６２】
前記隔壁９８０は、グルーブ１０３５，１０３６を通る相互接続部材９２２，９２６の一部をそれぞれ収容するために、隔壁９８０を通して延びるグルーブ１０３５，１０３６を含んでいる。グルーブ１０３５は、内部領域１０５０に非常に近接した隔壁９８０を通して延びている。また、グルーブ１０３６は、内部領域１０５２に非常に近接した隔壁９８０を通して延びている。
【００６３】
前記隔壁９８４は、グルーブ１０３８を通る相互接続部材９１０の一部を収容するために、隔壁９８４を通して延びるグルーブ１０３８を含んでいる。グルーブ１０３８は、内部領域１０４４に非常に近接した隔壁９８４を通して延びている。
【００６４】
前記付着タブ９９２，９９４は、電池セル相互接続及び電圧センシングアセンブリ１２２をフレーム部材２８に付着するために提供される。付着タブ９９２，９９４は、長方形のプレート９７０に対して実質的に垂直に長方形のプレート部９７０の端部に結合されている。
【００６５】
図９及び図１０を参照すると、延長相互接続部材９１０及び相互接続部材９１４，９１８，９２０，９２２，９２６，９３０は、長方形のプレート９７０の第１面１０００に結合されている。さらに、相互接続部材９１４，９１８，９２０，９２２，９２６，９３０は、それぞれ長方形のプレート９７０内で延長開口１０１４，１０１８，１０２０，１０２２，１０２６，１０３０に非常に近接して位置している。一具体例において、相互接続部材９１０〜９３０は、銅、またはニッケルがめっきされた銅からなっている。しかし、代案的な例において、他の電気伝導性物質が相互接続部材９１０〜９３０を構成するために使用されてもよい。相互接続部材９１４，９１８，９２２，９２６は、上記で議論された相互接続部材３１０と同じ構造を有している。
【００６６】
前記延長相互接続部材９１０は、プレート部材１１００、装着タブ１１０２，１１０４、及びスペードラグ１１０６を含んでいる。装着タブ１１０２，１１０４は、プレート部材１１００の第１端部及び第２端部に結合されており、プレート部材１１００に対して実質的に垂直に延びている。装着タブ１１０２，１１０４は、それぞれプラスチックフレーム部材９００に延長相互接続部材９１０を結合させるために、プラスチックフレーム部材９００の第１面１０００から外側に延びたタブを収容するように、装着タブを通して延びた第１開口及び第２開口を有している。スペードラグ１１０６はプレート部材１１００に連結されている。延長相互接続部材９１０は、プラスチックフレーム部材９００内で延長開口１０１０，１０２１を通るように延びている。延長相互接続部材９１０は、延長開口１０１０を通して延びた電池セル５０の電極端子１４４（図２に図示）、及び延長開口１０２１を通して延びた電池セル８０の電極端子２０４（図３に図示）に電気的及び機械的に接続されている。
【００６７】
図２、図９、及び図１０を参照すると、相互接続部材９１４は、延長開口１０１４に非常に近接した、長方形のプレート９７０の第１面１０００に結合されている。相互接続部材９１４は、それぞれ電池セル５４，５８の電極端子１５４，１６４に電気的及び機械的に接続されている。相互接続部材９１４はまた、スペードクリップ１２１８に電気的及び機械的に接続されている。
【００６８】
前記相互接続部材９１８は、延長開口１０１８に非常に近接した、長方形のプレート９７０の第１面１０００に結合されている。相互接続部材９１８は、それぞれ電池セル６２，６６の電極端子１７４，１８４に電気的及び機械的に接続されている。相互接続部材９１８はまた、スペードクリップ１２２０に電気的及び機械的に接続されている。
【００６９】
図２、図９、図１０、及び図１２を参照すると、相互接続部材９２０は、延長開口１０２０に非常に近接した、長方形のプレート９７０の第１面１０００に結合されている。相互接続部材９２０は、第１プレート部１１４０、第２プレート部１１４２、延長部１１４４、及びスペードラグ１１４６を含んでいる。第２プレート部１１４２は、第１プレート部１１４０の端部に結合されており、第１プレート部１１４０に対して実質的に垂直に延びている。延長部１１４４は、第２プレート部１１４２の端部に結合されており、第２プレート部１１４２に対して実質的に垂直に延びている。スペードラグ１１４６は、延長部１１４４の端部に結合されており、第１プレート部１１４０に対して実質的に垂直に延びている。スペードラグ１１４６は、スペードクリップ１２２２に除去可能に電気的及び機械的に接続されるように構成されている。
【００７０】
前記第１プレート部１１４０は、プレート９７０の第１面１０００に第１プレート部１１４０を結合させるために、長方形のプレート９７０の第１面１０００から延びた第１装着タブ及び第２装着タブを収容する開口１１６０，１１６２を含んでいる。第２プレート部１１４２は、延長開口１０２０に非常に近接して位置しており、電池セル７０の電極端子１９４に電気的及び機械的に接続されている。第２プレート部１１４２は、それを通してポスト９３２を収容するための第２プレート部１１４２を通して延びた開口１１７０を含んでいる。相互接続部材９２０はポスト９３２に電気的に接続されている。スペードクリップ１２２２はスペードラグ１１４６に除去可能に付着している。
【００７１】
図３、図９、及び図１０を参照すると、相互接続部材９２２は、延長開口１０２２に非常に近接した、長方形のプレート９７０の第１面１０００に結合されている。相互接続部材９２２は、電池セル８４，８８の電極端子２１４，２２４にそれぞれ電気的及び機械的に接続されている。相互接続部材９２２はまた、スペードクリップ１２２６に電気的及び機械的に接続されている。
【００７２】
前記相互接続部材９２６は、延長開口１０２６に非常に近接した、長方形のプレート９７０の第１面１０００に結合されている。相互接続部材９２６は、電池セル９２，９６の電極端子２３４，２４４にそれぞれ電気的及び機械的に接続されている。相互接続部材９２６はまた、スペードクリップ１２２６に電気的及び機械的に接続されている。
【００７３】
前記相互接続部材９３０は、上記で議論された相互接続部材９２０と同じ構造を有している。相互接続部材９３０は、延長開口１０３０に非常に近接した、長方形のプレート９７０の第１面１０００に結合されている。相互接続部材９３０は、電池セル１００の電極端子２５４に電気的及び機械的に接続されている。相互接続部材９３０はまた、スペードクリップ１２３２に電気的及び機械的に接続されている。相互接続部材９３０はまた、ポスト９３４に電気的に接続されている。
【００７４】
図１、図９、及び図１０を参照すると、除去可能なワイヤーハーネスアセンブリ９４０は、相互接続部材９１０，９１４，９１８，９２０，９２２，９２６，９３０から電池管理システム１２に電圧を伝送するために提供される。除去可能なワイヤーハーネスアセンブリ９４０は、スペードクリップ１２１０，１２１４，１２１８，１２２２，１２２６，１２３０，１２３２、電気ケーブル１２４０，１２４４，１２４８，１２５２，１２５６，１２６０，１２６２、及び電気コネクタ１２７０を含んでいる。スペードクリップ１２１０〜１２３２の構造は、それぞれ上述したスペードクリップ７１０と同一である。除去可能なワイヤーハーネスアセンブリ９４０はまた、上記で議論されたアダプタ部材６５０及びプラスチックカバープレート７７２と類似の構造を有するアダプタ部材及びプラスチックカバープレートを含んでいる。
【００７５】
前記延長相互接続部材９１０のスペードラグはスペードクリップ１２１４に電気的及び機械的に接続されており、スペードクリップ１２１４は電気ケーブル１２４０に電気的及び機械的に接続されている。さらに、電気ケーブル１２４０は電気コネクタ１２７０に電気的及び機械的に接続されている。
【００７６】
前記相互接続部材９１４のスペードラグはスペードクリップ１２１８に電気的及び機械的に接続されており、スペードクリップ１２１８は電気ケーブル１２４４に電気的及び機械的に接続されている。さらに、電気ケーブル１２４４は電気コネクタ１２７０に電気的及び機械的に接続されている。
【００７７】
前記延長相互接続部材９１８のスペードラグはスペードクリップ１２２０に電気的及び機械的に接続されており、スペードクリップ１２２０は電気ケーブル１２４８に電気的及び機械的に接続されている。さらに、電気ケーブル１２４８は電気コネクタ１２７０に電気的及び機械的に接続されている。
【００７８】
前記延長相互接続部材９２０のスペードラグはスペードクリップ１２２２に電気的及び機械的に接続されており、スペードクリップ１２２２は電気ケーブル１２５２に電気的及び機械的に接続されている。さらに、電気ケーブル１２５２は電気コネクタ１２７０に電気的及び機械的に接続されている。
【００７９】
前記延長相互接続部材９２２のスペードラグはスペードクリップ１２２６に電気的及び機械的に接続されており、スペードクリップ１２２６は電気ケーブル１２５６に電気的及び機械的に接続されている。さらに、電気ケーブル１２５６は電気コネクタ１２７０に電気的及び機械的に接続されている。
【００８０】
前記延長相互接続部材９２６のスペードラグはスペードクリップ１２３０に電気的及び機械的に接続されており、スペードクリップ１２３０は電気ケーブル１２６０に電気的及び機械的に接続されている。さらに、電気ケーブル１２６０は電気コネクタ１２７０に電気的及び機械的に接続されている。
【００８１】
前記延長相互接続部材９３０のスペードラグはスペードクリップ１２３２に電気的及び機械的に接続されており、スペードクリップ１２３２は電気ケーブル１２６２に電気的及び機械的に接続されている。さらに、電気ケーブル１２６２は電気コネクタ１２７０に電気的及び機械的に接続されている。
【００８２】
図１、図２、及び図３を参照すると、作動中に、第１及び第２電池セル相互接続及び電圧センシングアセンブリ１２０，１２２は、電池セル５０，５４，５８，６２，６６，７０，８０，８４，８８，９２，９６，１００を互いに電気的に直列接続させる。さらに、第１及び第２電池セル相互接続及び電圧センシングアセンブリ１２０，１２２は、電池管理システム１２に電気的に接続される。したがって、電池管理システム１２は、アセンブリ１２０の相互接続部材３１０，３１４，３１８，３２２，３２６，３３０から電池セル回路内の具体的な電極ノード（nodes）での作動電圧を測定することができ、さらに、アセンブリ１２２の相互接続部材９１０，９１４，９１８，９２０，９２２，９２６，９３０から電圧を受け取ることができ、記憶装置（a memory device）内の作動電圧に対応する値を格納することができる。さらに、電池管理システム１２は、格納された値に基づいて、充電状態（ＳＯＣ：state-of-charge）及び関連する電池セルの健康状態（ＳＯＨ：state-of-health）を決定することができる。一具体例において、電池管理システム１２は、内部にプログラムの作動が可能なコンピュータを含んでいる。
【００８３】
このように説明した、電池セル相互接続及び電圧センシングアセンブリと電池モジュールは、他のアセンブリとモジュールに対して相当な利点を提供する。特に、電池セル相互接続及び電圧センシングアセンブリと電池モジュールは、電池モジュールにワイヤーハーネスアセンブリを容易に結合させるために、その内部にスペードクリップを固定するアダプタ部材を有する除去可能なワイヤーハーネスアセンブリを電気的に活用する。
【００８４】
本発明が、制限された数の実施例にのみ関連して詳細に説明されたとしても、本発明がそれらの実施例に制限されないということは明らかである。また、本発明は、ここに説明されていない変形、改造、置換又は同等な配列を組み合わせて改良可能であり、それらは、本発明の思想と範囲内にある。また、本発明の様々な実施例が説明される場合、本発明は、それらの実施例を含むことができるということは明らかである。したがって、本発明は、ここで前述した説明によって制限されない。
【産業上の利用可能性】
【００８５】
本発明に係る電池セル相互接続及び電圧センシングアセンブリと電池モジュールは、その内部にスペードクリップを固定するアダプタ部材を含む除去可能なワイヤーハーネスアセンブリを使用することによって、より構造が簡便であり、スペードクリップが固定された状態でワイヤーハーネスアセンブリのみを別途の部材として取り扱うことが可能であるため、各部材を効率的に管理できるだけでなく、ワイヤーハーネスアセンブリを電池モジュールにさらに容易に結合させることができる効果がある。
【符号の説明】
【００８６】
１２０，１２２  電池セル相互接続及び電圧センシングアセンブリ
３００，９００  プラスチックフレーム部材
３４０  ワイヤーハーネスアセンブリ
３７０  プレート部
３７４  中央壁
６５０  アダプタ部材
７１０，７１４，７１８，７２２，７２６，７３０  スペードクリップ
７４０  電気ケーブル
【図１】
0006474884.tif 000002
【図２】
0006474884.tif 000003
【図３】
0006474884.tif 000004
【図４】
0006474884.tif 000005
【図５】
0006474884.tif 000006
【図６】
0006474884.tif 000007
【図７】
0006474884.tif 000008
【図８】
0006474884.tif 000009
【図９】
0006474884.tif 000010
【図１０】
0006474884.tif 000011
【図１１】
0006474884.tif 000012
【図１２】
0006474884.tif 000013
【図１３】
0006474884.tif 000014
【図１４】
0006474884.tif 000015
【図１５】
0006474884.tif 000016
【図１６】
0006474884.tif 000017
【図１７】
0006474884.tif 000018
【図１８】
0006474884.tif 000019
【図１９】
0006474884.tif 000020
【図２０】
0006474884.tif 000021